(57)【要約】【課題】軽量化が図られ、防水更新においても余分な費用がかからずより確実な防水が可能な、配管用固定型支持脚を提供する。【解決手段】配管用固定型支持脚１０は外部に設けられた設置部３０に固定される。配管用固定型支持脚１０は、配管２５を裁置する横架材１３を保持する一対のボルト１２ａ，１２ｂを含み、一対のボルト１２ａ，１２ｂはアンカーボルトを用いて現場施工で据付けられ、設置部３０から立ち上がるように設けられる。一対のボルト１２ａ，１２ｂの設置部３０からの立ち上がり部の周囲には、防水構造が設けられる。【選択図】図１
2019152265.tif 000002
【特許請求の範囲】
【請求項１】
外部に設けられた設置部に固定される配管用固定型支持脚であって、
配管を裁置する横架材を保持する一対のボルトを含み、
前記一対のボルトはアンカーボルトを用いて現場施工で据付けられ、前記設置部から立ち上がるように設けられ、前記一対のボルトの前記設置部からの立ち上がり部の周囲には、防水構造が設けられる、配管用固定型支持脚。
【請求項２】
前記設置部から突出して設置可能な一対の連結材を含み、
前記一対の連結材は、前記アンカーボルトを用いて現場施工で据付けられ、
前記一対のボルトは、前記連結材に設けられる、請求項１に記載の配管用固定型支持脚。
【請求項３】
前記横架材は矩形状の鉛直面を有し、前記鉛直面の鉛直方向の上端部にフランジ部を有し、前記上端部のフランジ部に前記ボルトが貫通する、請求項１または２に記載の配管用固定型支持脚。
【請求項４】
前記横架材は矩形状の鉛直面を有し、前記鉛直面の鉛直方向の下端部にフランジ部を有し、前記下端部のフランジ部に前記一対のボルトが貫通する、請求項１〜３のいずれかに記載の配管用固定型支持脚。
【請求項５】
前記ボルトは全ねじボルトである、請求項１〜４のいずれかに記載の配管用固定型支持脚。
【発明の詳細な説明】
【技術分野】
【０００１】
この発明は配管用固定型支持脚に関し、特に、押えコンクリートに対応した配管用固定型支持脚に関する。
【背景技術】
【０００２】
従来の配管用固定型支持脚の一例としての配管架台が、例えば、特開平１１−１３２３６１号公報（特許文献１）に開示されている。特許文献１によれば、互いに隣り合う配管カバー同士の間に配管架台を設置する。配管架台を一対の脚部材と、脚部材)同士を連結する連結部材及びカバー部材より構成する。空調用ダクトを流用した配管カバーのフランジを脚部材及びカバー部材に接続する。それによって、屋上に延設される冷媒配管を保護する配管カバーを支持する配管架台を改良し、配管カバー設備の設計の簡略化及び配管カバーの設置作業性の向上を図り、これによってコストを削減すると共に工事の短期化を可能にしている。
【先行技術文献】
【特許文献】
【０００３】
【特許文献１】特開平１１−１３２３６１号公報（要約等）
【発明の概要】
【発明が解決しようとする課題】
【０００４】
従来の配管用固定型支持脚は上記のように構成されていた。このような構成では、一般に、一対の支持脚は固定脚を介して屋上等の部分に設置され、防水層が固定脚の下に張られるために、防水の更新のときに、固定脚の一時移動と、復旧工事とを別途行う必要があり、費用がかさむ。なお、防水層を固定脚の下に張らず、固定脚に防水層端部を突き付けて納める方法は、防水性能の信頼性に劣るため、推奨されない。また、一対の支持脚をコンクリートブロックで支持することも考えられるが、重量が増えるため、好ましくない。
【０００５】
この発明は上記のような問題点を解消するためになされたもので、軽量化が図られ、防水更新においても余分な費用がかからずより確実な防水が可能な、配管用固定型支持脚を提供することを目的とする。
【課題を解決するための手段】
【０００６】
この発明に係る、配管用固定型支持脚は、外部に設けられた設置部に固定される。配管用固定型支持脚は、配管を裁置する横架材を保持する一対のボルトを含み、一対のボルトはアンカーボルトを用いて現場施工で据付けられ、設置部から立ち上がるように設けられ、一対のボルトの設置部からの立ち上がり部の周囲には、防水構造が設けられる。
【０００７】
好ましくは、設置部から突出して設置可能な一対の連結材を含み、一対の連結材は、アンカーボルトを用いて現場施工で据付けられ、一対のボルトは、連結材に設けられる。
【０００８】
さらに好ましくは、横架材は矩形状の鉛直面を有し、鉛直面の鉛直方向の上端部にフランジ部を有し、上端部のフランジ部にボルトが貫通する。
【０００９】
横架材は矩形状の鉛直面を有し、鉛直面の鉛直方向の下端部にフランジ部を有し、下端部のフランジ部に一対のボルトが貫通してもよい。
【００１０】
ボルトは全ねじボルトであるのが好ましい。
【発明の効果】
【００１１】
この発明にかかる配管用固定型支持脚はコンクリートブロックを使用しない。また、配管を支持するための横架材を保持する一対のボルトはアンカーボルトを用いて現場施工で据付けられ、設置部から立ち上がるため、ボルトの周囲に防水施工が可能になる。
【００１２】
その結果、軽量化が図られ、工事が簡単で、防水更新においても費用がかからずより確実な防水が可能な、配管用固定型支持脚を提供できる。
【図面の簡単な説明】
【００１３】
【図１】この発明の一実施の形態に係る配管用固定型支持脚の斜視図である。
【図２】配管用固定型支持脚の正面図および側面図である。
【図３】配管用固定型支持脚を例えば、屋上のような、設置部に設置した場合の斜視図である。
【図４】設置部に載置された連結材の防水構造を示す断面図である。
【図５】横架材の他の実施の形態を示す図である。
【図６】アンカーの他の実施の形態を示す図である。
【図７】防水施工の他の実施の形態を示す図である。
【図８】横架材の他の実施の形態を示す図である。
【発明を実施するための形態】
【００１４】
以下、この発明の実施の形態について図面を参照して説明する。図１は、この発明の１実施の形態に係る配管用固定型支持脚の斜視図であり、図２（Ａ）は正面図であり、図２（Ｂ）は、図２（Ａ）において、矢印ＩＩＢ-ＩＩＢで示す側面図であり、図３は、配管用固定型支持脚を例えば、屋上のような、設置部３０に設置した場合の配管用固定型支持脚１０の設置状態を示す斜視図であり、図４は、その部分の防水構造を示す断面図である。
【００１５】
図１〜図３を参照して、この実施の形態に係る配管用固定型支持脚１０は、屋上のような、設置部３０に連結するための設置部３０に設けられた一対の連結材１１ａ，１１ｂと、それぞれの連結材１１ａ，１１ｂの上端に設けられ、鉛直方向に伸びるボルト１２ａ，１２ｂと、ボルト１２ａ，１２ｂに固定され、配管を裁置する横架材１３と、を含む。連結材１１ａ，１１ｂは円筒状であり、雄ねじ型アンカーボルトで設置部３０に固定される。ボルト１２ａ，１２ｂと連結材１１ａ，１１ｂとは、一体的に設けられる。なお、連結材１１ａ，１１ｂの長さは少なくとも５０ｍｍ以上が好ましい。
【００１６】
横架材１３は、幅方向に長い矩形状の鉛直面１３ｂを有し、上下端にフランジ部１３ａ，１３ｃを有する、断面が「コ」の字状の金属製の板材である。矩形状の鉛直面１３ｂの幅方向の両端部の近傍の上下端のフランジ部１３ａ，１３ｃにそれぞれ一対の切欠き孔１４ａ，１４ｂおよび１４ｃ，１４ｄが設けられ、そこを、ボルト１２ａ，１２ｂが貫通する。ボルト１２ａ，１２ｂには、上下端のフランジ部１３ａ，１３ｃを高さ方向に位置決めするために、上端のフランジ部１３ａを挟むナット１５ａ，１５ｂ、および、１５ｃ，１５ｄが設けられ、下端のフランジ部１３ｃを挟むナット１６ａ，１６ｂ、および、１６ｃ，１６ｄが設けられている。
【００１７】
ここで、ボルト１２ａ、１２ｂは全ねじボルトとして示しているが、必要な位置決め箇所のみにねじ山を設けてもよい。
【００１８】
また、切欠き孔は設けなくてもよい。
【００１９】
横架材１３の縦方向の位置を調整するときは、これらのナット１５ａ〜１５ｄ、および、１６ａ〜１６ｄの位置を調整する。
【００２０】
上端のフランジ部１３ｂには、一対の幅方向に細長い貫通孔１７ａ，１７ｂが設けられ、その貫通孔１７ａ，１７ｂを介して、Ｕ字状のボルト２６を取付け、横架材１３の上に、配管２５を裁置する。なお、ここでは、配管２５および、それを固定するためのＵ字状のボルト２６およびナット２７ａ，２７ｂを一点鎖線で示している。
【００２１】
ここで、配管２５および、それを固定するためのＵ字状のボルト２６およびナット２７ａ，２７ｂを固定するためのＵ字状のボルト２６およびナット２７ａ，２７ｂを取り付ける貫通孔１７ａ，１７ｂは、図に示すように長穴であるため、予めＵ字状のボルト２６の位置に合わせた位置に貫通孔を設ける必要はない。また、Ｕ字状のボルト２６等を固定するための一定の間隔の長穴が開いた汎用のアングル材を用いる場合は、それを現場作業で準備する必要があるが、そのようなことも不要で、配管等の取付の施工が容易になる。
【００２２】
さらに、ここで取り付けられる配管を、主に集合住宅で採用される通気管に限定すれば、長穴の幅方向の寸法をさらに限定可能になる。
【００２３】
また、貫通孔１７ａ，１７ｂは、上下端のフランジ部１３ａ，１３ｃの配管を支持する方向の中央よりも、鉛直面１３ｂ側に設けるのが好ましい。これは、ナット２７ａ，２７ｂを締めたとき、貫通孔１７ａ，１７ｂが鉛直面１３ｂに近いほどフランジ部１３ａ，１３ｂの反りが小さいからである。
【００２４】
図３に示すように、連結材１１は、後に説明するように、アンカーボルトに固定されるため、円筒状の連結材１１をスパナ等で回転させるための切欠き部を、その円周方向に１８０度の間隔を開けて設けている。なお、この切欠き部の位置および形状は任意である。
【００２５】
なお、横架材１３を、断面が「コ」の字状の金属製の板材の代わりに、上下に間隔を開けて配置した一対のアングルを、それぞれの一方の面が１つの面を構成するようにボルト１２ａ，１２ｂに配置して横架材を構成してもよい。この場合、一対のアングル間の距離が離れる場合は、横架材の強度を増すために、筋交いを設けてもよい。そのような場合の図２に対応する図を図７に示す。
【００２６】
次に、設置部の防水構造について、図４を参照して説明する。図４を参照して、連結材１１ａ，１１ｂは、設置部３０に現場施工できる雄ねじ型アンカーボルトで固定される。設置部３０には防水施工がされるが、連結材１１が円筒状で、設置部３０から立ち上がっているため、その周囲に防水部３１立ち上げることができる。ここでは、防水部３１は、防水シート３２とその下に設けられた鋼板３３とを含み、連結材１１の周囲を囲む防水シート３２を用いて防水が施工される。
【００２７】
防水の仕様によっては、鋼板３３が省略されることもある。
【００２８】
なお、連結材１１ａ，１１ｂの防水シート３２の上端部近傍は、ステンレスバンド３４で防水シート３２を連結材１１ａ，１１ｂにしっかりと固定することもある。また、連結材１１ａ，１１ｂの上端部には、ボルト１２が埋め込まれ、そのボルトの位置を固定するために、ナット１２ｃが設けられる。
【００２９】
ナット１２ｃと連結材１１の上端部の間には、連結材１１の上端部より径の大きい笠３６が設けられ、笠３６の下部の外周には、防水シート３１の上端部を覆うようにシール材３５が設けられ、雨等が連結材１１の外周と防水シート３１との間に入り込まないようにしている。
【００３０】
なお、鋼板３３は固定ねじ４１,４２で設置部３０に固定されてもよい。
【００３１】
以上のように、この実施の形態においては、配管の裁置のために、コンクリートブロックを使用しない。したがって、軽量化が図られる、また、連結材はアンカーボルトを用いて現場施工で据付けられ、設置部から立ち上がるため、その周囲に防水層を立ち上げることができる。
【００３２】
その結果、軽量化が図られ、工事が簡単で、防水更新においても費用がかからずより確実な防水が可能である。
【００３３】
次に、横架材の他の実施の形態について説明する。図５（Ａ），（Ｂ）は、図１に示した横架材の他の実施の形態を示す図である。図５（Ａ），（Ｂ）は、先の実施の形態の図１（Ａ）、（Ｂ）に対応する。図５を参照して、この実施の形態では、横架材を２枚のＬ形の鋼板２０，２１をその横方向への突出部２０ｂ，２１ｂが上下の両端部で同じ方向を向くように配置し、それらを上下方向の中央部の両端で位置決めボルトナット１８ａ，１８ｂで連結して構成している。
【００３４】
図５に示すように、２枚のＬ形の鋼板２０，２１はそれぞれの幅方向の両端部近傍に上下方向に伸びる一対の溝２２ａ，２２ｂ、および、２３ａ，２３ｂを設け、それによって、上下の突出部２０ｂ，２１ｂ間の間隔が調整できるようになっている。
【００３５】
これらの点以外は、先の実施の形態と同様であるので、先の実施の形態と同一、または、同様の該当箇所に同一符号を付して、その説明を省略する。
【００３６】
次に、アンカーボルトの他の実施の形態について説明する。図６は、アンカーボルトの他の実施の形態としての、雌ねじ型アンカー２８を示す断面図である。図６を参照して、ここでは、例えばコンクリート製の設置部３０の表面に雌ねじ型アンカー２８を設ける。このアンカー２８は内側に雌ねじ部を有し、その中に、ボルト１２をねじ込むことができる。この場合は、連結部１１を省略できるため、より構成が簡単になる。
【００３７】
この実施の形態における防水施工について説明する。図７は、この実施の形態における防水施工の状態（図７（Ａ））と、同様の防水施工を、図４に示した構成に適用した場合の防水施工の状態（７（Ｂ））と、を示す図４に対応する断面図である。
【００３８】
図７（Ａ）を参照して、この実施の形態においては、防水施工は、塗膜防水を用いて行う。塗膜防水とは、粘性の大きい液状の防水材を防水面に塗布することによって行う。図７（Ａ）に示すように、この例では、雌ねじ型アンカー２８をコンクリートのような設置部３０に打ち込み、そこに挿入されたボルト１２をナット１２ｃで固定し、その外部を覆うように三角形状のシール３８を設け、その外表面に塗膜防水３７を設ける。塗膜防水３７の高さは設置部３０から数ｃｍ〜１０ｃｍ程度あればよい。
【００３９】
以上のように、雌ねじ型アンカー２８を用いた場合においても、容易に塗膜防水による防止施工が可能になる。なお、この場合は、ボルト１２が細いため、図４に示したような防水シートによる防水はできない。
【００４０】
なお、同様の防水施工は先の実施の形態においても利用できる。同様の防水施工を、図４に示した先の実施の形態において用いた場合について図７（Ｂ）に示す。図７（Ｂ）を参照して、この場合は、雄ねじ型アンカーボルトで固定された連結材１１の上端部にボルト１２が挿入され、その下端部の周囲が下方向にテーパ状になるようにシール３８でシールされる。そのシール３８を覆って、連結材１１の上端部近傍まで塗膜防水３７が設けられる。
【００４１】
次に横架材の他の実施の形態について説明する。横架材１３を、断面が「コ」の字状の金属製の板材の代わりに、上下に間隔を開けて配置した一対のアングルを、それぞれの一方の面が１つの面を構成するようにボルト１２ａ，１２ｂに配置して一組の横架材２４ａ，２４ｂを構成してもよい。この場合、一対のアングル間の距離が離れる場合は、横架材の強度を増すために、筋交い２４ｃを設けてもよい（図８（Ａ）のみに示す）。そのような場合の図２に対応する図を図７に示す。この場合、筋交い２４ｃはその一方端を一方のボルト１２ａに、他方端を他方のボルト１２ｂに固定するのが好ましい。
【００４２】
なお、上記実施の形態においては、横架材として、上下にフランジのあるものについて説明したが、これに限らず、下部のフランジは無くてもよい。この場合、図７に示した構成において、下側のアングルが省略された構成になる。
【００４３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００４４】
この発明によれば、軽量化が図られ、防水更新においても余分な費用がかからずより確実な防水が可能な、配管用固定型支持脚を提供できるため、配管用固定型支持脚として有利に利用される。
【符号の説明】
【００４５】
１０  配管用固定型支持脚、１１  連結材、１２  ボルト、１３，２０，２４  横架材、１４  切欠き孔、１５，１６  ナット、１７  貫通孔、２８  雌ねじ型アンカー、３０  設置部、３８  シール、４０  雄ねじ型アンカーボルト、４１，４２  固定ねじ。
【図１】
2019152265.tif 000003
【図２】
2019152265.tif 000004
【図３】
2019152265.tif 000005
【図４】
2019152265.tif 000006
【図５】
2019152265.tif 000007
【図６】
2019152265.tif 000008
【図７】
2019152265.tif 000009
【図８】
2019152265.tif 000010